(57)【特許請求の範囲】
【請求項１】
前面が開口した商品収容室の底部前面と商品収容室の前面開口を閉塞する内扉との間に設けられ、内扉を閉塞した場合に空気の漏れを防止する化粧枠と、
化粧枠とともに取り付けられ、商品収容室の内外の温度差により結露した水滴を集めて排出する内扉樋と
を備えた自動販売機において、
内扉樋の前面に化粧枠が取り付けられ、
内扉樋は、平板状を成す基部を有し、化粧枠及び前記基部を介して商品収容室の底部を画成する底板の前面にネジを締結することによって当該底板に取り付けられ、
かつ前記内扉樋には、前記基部を上縁から切り欠いて折り曲げることにより形成し、商品収容室の底板に係止されて底板前面からの離反を規制する係止片を設けたことを特徴とする自動販売機。
【請求項２】
前記化粧枠は、商品収容室の内部に設けられたシュータの前面に延在し、その延在端部がシュータの前面に固定されたことを特徴とする請求項１に記載の自動販売機。
【請求項３】
前記係止片は、底板の前面下端から後方に向けて延在する折り曲げ片に係止されたことを特徴とする請求項１または２に記載の自動販売機。
【発明の詳細な説明】
【技術分野】
【０００１】
本発明は、冷蔵した商品または温蔵した商品を販売する自動販売機に関する。
【背景技術】
【０００２】
冷蔵した商品または温蔵した商品を販売する自動販売機は、前面が開口した本体キャビネットと本体キャビネットの前面開口を閉塞する外扉とを有している。本体キャビネットの内部には、冷蔵または温蔵した商品を収容する商品収容室が設けられている。商品収容室は、前面が開口しており、本体キャビネットと外扉との間に設けられた内扉により閉塞される。
【０００３】
商品収容室と内扉とは断熱性能が要求され、図６に示すように、商品収容室１１２の底部前面には化粧枠１０５と内扉樋１０４とが取り付けられている。化粧枠１０５は、内扉１０３を閉塞した場合に空気の漏れを防止するためのもので、底板１１１の前面に配設される基部１５１と、閉塞した内扉１０３と対峙し、変形することにより内扉との間を気密に保つ気密部１５２とを有している。内扉樋１０４は、商品収容室１１２の内外の温度差により結露した水滴を集めて排出するためのもので、化粧枠１０５に配設される基部１４１と、水滴を受け止めて一カ所に集める樋部１４２とを有している。
【０００４】
化粧枠１０５の基部１５１は、商品収容室１１２の底部を画成する底板１１１の前面１１１ａに取り付けられ、内扉樋１０４の基部１４１は、化粧枠１０５の基部１５１の下部前面に取り付けられている。具体的には、化粧枠１０５の基部１５１と内扉樋１０４の基部１４１とが底板１１１の前面１１１ａに複数のネジ１５４で固定（共締め）されている（たとえば、特許文献１参照）。
【先行技術文献】
【特許文献】
【０００５】
【特許文献１】特開２００７−３４８３２号公報
【発明の概要】
【発明が解決しようとする課題】
【０００６】
しかしながら、化粧枠１０５は合成樹脂で作成され、その基部１５１は板状体であるために剛性が低く変形しやすい。また、内扉樋１０４は薄い鋼板で作成され、その基部１４１も剛性が低く変形しやすい。このため、化粧枠１０５の基部１５１の下部前面に内扉樋１０４の基部１４１を重ねた状態でネジ１５４を規定値で締め付けを実施しても、内扉１０３を閉めて押さえつけた状態においても、化粧枠１０５の基部１５１と内扉樋１０４の基部１４１とがネジ１５４とネジ１５４との間で膨らんで波打つことになる。化粧枠１０５の基部１５１と内扉樋１０４の基部１４１とがネジ１５４とネジ１５４との間で膨らみ波打つと、化粧枠１０５の基部１５１と底板１１１との間に隙間が生じ、この隙間から冷やされた空気や温められた空気が漏れることになる。
【０００７】
本発明は、上記に鑑みてなされたものであって、化粧枠と内扉樋とがネジとネジとの間で膨らむ事態が抑制され、化粧枠と底板との間から冷やされた空気や温められた空気が漏れることのない自動販売機を提供することを目的とする。
【課題を解決するための手段】
【０００８】
上述した課題を解決し、目的を達成するために、本発明にかかる自動販売機は、前面が開口した商品収容室の底部前面と商品収容室の前面開口を閉塞する内扉との間に設けられ、内扉を閉塞した場合に空気の漏れを防止する化粧枠と、化粧枠とともに取り付けられ、商品収容室の内外の温度差により結露した水滴を集めて排出する内扉樋とを備えた自動販売機において、内扉樋の前面に化粧枠が取り付けられ、内扉樋は、平板状を成す基部を有し、化粧枠及び前記基部を介して商品収容室の底部を画成する底板の前面にネジを締結することによって当該底板に取り付けられ、かつ前記内扉樋には、前記基部を上縁から切り欠いて折り曲げることにより形成し、商品収容室の底板に係止されて底板前面からの離反を規制する係止片を設けたことを特徴とする。
【０００９】
また、本発明は、上述した自動販売機において、前記化粧枠は、商品収容室の内部に設けられたシュータの前面に延在し、その延在端部がシュータの前面に固定されたことを特徴とする。
【００１０】
また、本発明は、上述した自動販売機において、前記係止片は、底板の前面下端から後方に向けて延在する折り曲げ片に係止されたことを特徴とする。
【発明の効果】
【００１１】
本発明にかかる自動販売機は、内扉樋の前面に化粧枠が取り付けられ、かつ、内扉樋は、商品収容室の底部を画成する底板に係止され、底板前面からの離反を規制する係止片を有したので、化粧枠と内扉樋とがネジとネジとの間で膨らむ事態が抑制され、化粧枠と底板との間から冷やされた空気や温められた空気が漏れることがない。
【図面の簡単な説明】
【００１２】
【図１】図１は、本発明の実施の形態である自動販売機を示す斜視図である。
【図２】図２は、本発明の実施の形態である自動販売機の要部を示す断面図である。
【図３】図３は、本発明の実施の形態である自動販売機の要部を示す分解斜視図である。
【図４】図４は、内扉樋に化粧枠を取り付けた状態を示す斜視図である。
【図５】図５は、本発明の実施の形態の変形例である自動販売機の要部を示す断面図である。
【図６】図６は、背景技術に示した自動販売機の要部を示す断面図である。
【発明を実施するための形態】
【００１３】
以下に、本発明にかかる自動販売機の実施の形態を図面に基づいて詳細に説明する。なお、この実施の形態によりこの発明が限定されるものではない。
【００１４】
図１は、本発明の実施の形態である自動販売機を示す斜視図である。本発明の実施の形態に例示する自動販売機は、缶入り飲料、ビン入り飲料、ペットボトル入り飲料を販売するためのもので、本体キャビネット１、外扉２を備えている。
【００１５】
本体キャビネット１は、外箱１０を有している。外箱１０は、複数の鋼板を適宜組み合わせることにより構成したもので、前面が開口した直方体形状を有している。外箱１０には、内部を上下に仕切るように、底板１１が配設してある。そして、この底板１１の上方域に商品収容室１２が画成される一方、該底板１１の下方域に機械室１３が画成される。
【００１６】
外扉２は、本体キャビネット１の左側縁部に支承してある。外扉２は、本体キャビネット１の前面開口を覆うのに十分な大きさを有したもので、鋼材により堅牢に構成してある。この外扉２の下方部には、商品取出口２１が設けてある。この商品取出口２１は、販売した商品を利用者に受け渡すための開口である。
【００１７】
本体キャビネット１と外扉２との間には、内扉３が設けてある。内扉３は、外扉２と同様に、本体キャビネット１の左側縁部に支承してある。内扉３は、商品収容室１２の前面を覆うのに十分な大きさを有したもので、断熱性能を有している。図示の例では、内扉３を上下に分割してそれぞれを個別に開放可能としてあり、内扉３の上方部は外扉２とともに開閉し、内扉３の下方部は外扉２を開放した状態で独立して開閉する。内扉３の下方部には、商品搬出口３１が形成してある。商品搬出口３１は、商品収容室１２の外部に商品を搬出するためのものであり、この自動販売機が販売する商品の大きさよりもやや大きく形成してある。この商品搬出口３１は、フラッパ３２により閉塞してあり、商品がこのフラッパ３２を押し開くことにより、商品は商品収容室１２の外部（商品取出口２１）に搬出される。
【００１８】
商品収容室１２は、二つの断熱仕切板１４で仕切られており、左室１５Ｌ、中室１５Ｍ、右室１５Ｒが画成される。これら、左室１５Ｌ、中室１５Ｍ、右室１５Ｒは、商品収納室１５であって、冷蔵室あるいは温蔵室に設定され、個別に制御される。各商品収納室１５の内部には、商品を収納する商品収納ラック１６と、商品収納ラック１６から払い出された商品を搬送するシュータ１７とが配設してある。
【００１９】
商品収納ラック１６は、商品収納室１５の上方域に配設され、上方から投入された商品を積み重ねた状態で収納する。シュータ１７は、商品収納室１５の下方域に配設され、商品収納室１５の奥方から前方に向けて漸次低くなるように傾斜している。
【００２０】
図２および図３は、本発明の実施の形態である自動販売機の要部を示す図であり、図４は、内扉樋に化粧枠を取り付けた状態を示す斜視図である。
【００２１】
各商品収納室１５と内扉３との間は断熱性能が要求され、図２に示すように、底板１１の前面１１ａには、内扉樋４と化粧枠５とが取り付けられている。
【００２２】
図２に示すように、内扉樋４は、商品収納室１５（商品収容室１２）の内外の温度差により結露した水滴を集めて排出するためのもので、薄い鋼板を折り曲げることにより作成されている。内扉樋４は、商品収容室１２の幅と略同一の幅を有しており、底板１１の前面に密着した状態で配設される基部４１と、基部４１から下方に延在した部分に設けられた樋部４２とを有している。
【００２３】
基部４１は、化粧枠５とともに底板１１の前面に取り付けられる部分であり、係止片４１ａを有している。係止片４１ａは、内扉樋４が底板１１の前面１１ａから離反するのを規制するためのもので、底板１１の前面１１ａの下端から後方に向けて延在する折り曲げ片１１ｂに係止される。係止片４１ａは、基部４１を切り欠いて折り曲げることにより形成してあり、基部４１から後方に向けて延在した後、上方に延在している。
【００２４】
図３に示すように、係止片４１ａは、商品収容室１２の幅方向、複数箇所に設けてある。各係止片４１ａは、底板１１の前面１１ａから離反する事態を規制するのに十分な長さを有しており、内扉樋４の変形を抑制している。また、基部４１には、矩形の舌片４１ｂが設けてある。舌片４１ｂは、化粧枠５を内扉樋４に取り付けるためのもので、コの字状に打ち抜くことにより形成されている。さらに、基部４１には、内扉樋４を底板１１の前面１１ａに取り付けるための貫通孔４１ｃが設けてある。
【００２５】
樋部４２は、左方から右方に向けて漸次低くなるように傾斜するとともに右方から左方に向けて漸次低くなるように傾斜しており、その合流部位に排水口４２ａが設けてある。排水口４２ａは、矩形に切り欠くことにより形成してあり、結露した水滴は上述した傾斜を伝って排水口４２ａに集まり、排水口４２ａから排出されることになる。
【００２６】
図２に示すように、化粧枠５は、内扉３を閉塞した場合に商品収容室１２からの空気の漏れを防止するためのもので、硬質の合成樹脂と軟質の合成樹脂を押し出し成型することにより作成されている。化粧枠５は、商品収容室の幅と略同一の幅を有しており、内扉樋４の前面に取り付けられる基部５１と、閉塞した内扉３（図１参照）と対峙し、変形することにより内扉との間を気密に保つ気密部５２とを有している。
【００２７】
基部５１は、硬質の合成樹脂で作成された薄い板状体である。そして、基部５１の上縁部と下縁部とには、軟質の樹脂で作成されたフィン５１ａ，５１ｂを有している。また、基部５１の下方部には、左右一対となるスリット５１ｃが設けてある。スリット５１ｃは、上述した舌片４１ｂが挿通する細長い切り込みであり、図４に示すように、スリット５１ｃを挿通した舌片４１ｂを折り曲げることにより、化粧枠５が内扉樋４に取り付けられる。
【００２８】
また、基部５１には、貫通孔５１ｅが設けてある。貫通孔５１ｅは、化粧枠５を内扉樋４とともの底板１１の前面１１ａに取り付けるためのもので、貫通孔５１ｅと内扉樋４に設けた貫通孔４１ｃを挿通したネジ５４によって、化粧枠５と内扉樋４とは、底板１１の前面１１ａに取り付けられる。
【００２９】
また、基部５１は、上述したシュータ１７の前面１７ａまで延在しており、その延在端部には貫通孔５１ｄが設けてある。貫通孔５１ｄは、化粧枠５をシュータ１７の前面１７ａに取り付けるためのもので、貫通孔５１ｄを挿通したネジ５３によって、化粧枠５はシュータ１７の前面に取り付けられる。
【００３０】
気密部５２は、軟質の合成樹脂材料を主材料としており、三つの凸条５２ａ，５２ｂ，５２ｃを有している。凸条５２ａ，５２ｂ，５２ｃは、上下方向に並んで設けてあり、それぞれの内部は中空の部屋が画成してある。このため、内扉３を閉塞すると、閉塞した内扉３と対峙し、凸条５２ａ，５２ｂ，５２ｃが変形することにより内扉３との間を気密に保つことになる。また、各凸条５２ａ，５２ｂ，５２ｃはそれぞれフィン５２ａ１，５２ｂ１，５２ｃ１を有しており、より高い気密性を得ることができる。
【００３１】
上述した内扉樋４と化粧枠５とは、予め組み立てられ、一体となった状態で底板１１の前面１１ａに取り付けられる。具体的には、内扉樋４の基部４１に設けた舌片４１ｂを化粧枠５の基部５１に設けたスリット５１ｃに挿通させた後、舌片４１ｂを折り曲げることによって、内扉樋４と化粧枠５とは一体となる。そして、内扉樋４に設けた係止片４１ａを底板１１の折り曲げ片１１ｂに係止させた状態で、化粧枠５の基部５１に設けた貫通孔と内扉樋４の基部４１に設けた貫通孔とを挿通したネジ５４によって底板１１の前面１１ａに取り付けられる。
【００３２】
また、化粧枠５は、シュータ１７の前面１７ａにも固定される。具体的には、化粧枠５の基部（延在端部）に設けた貫通孔５１ｄを挿通したネジによってシュータ１７の前面１７ａに固定される。
【００３３】
上述した実施の形態である自動販売機は、内扉樋４の前面に化粧枠５が取り付けられ、かつ、内扉樋４は、商品収容室１２の底部を画成する底板１１に係止され、底板前面からの離反を規制する係止片４１ａを有するので、ネジ５４をきつく締めすぎたり、内扉３から必要以上の力が作用したりした場合であっても、化粧枠５と内扉樋４とがネジ５４とネジ５４との間で膨らむ事態が抑制される。したがって、底板１１との間に隙間が生じることがなく、化粧枠５と底板１１との間から冷やされた空気や温められた空気が漏れることがない。
【００３４】
また、化粧枠５は、商品収容室１２の内部に設けられたシュータ１７の前面に延在し、その延在端部がシュータ１７の前面に固定されるので、化粧枠５とシュータ１７との間から冷やされた空気や温められた空気が漏れることがない。
【００３５】
なお、上述した実施の形態である自動販売機の内扉樋４の基部４１に設けられた係止片４１ａは、上方に延在するものとしたが、図５に示すように、上方斜め前方に延在するものとしてもよい。
【符号の説明】
【００３６】
１    本体キャビネット
１０    外箱
１１    底板
１１ａ    前面
１１ｂ    折り曲げ片
１２    商品収容室
１３    機械室
１４    断熱仕切板
１５    商品収納室
１５Ｒ    右室
１５Ｍ    中室
１５Ｌ    左室
１６    商品収納ラック
１７    シュータ
１７ａ    前面
２    外扉
２１    商品取出口
３    内扉
３１    商品搬出口
３２    フラッパ
４    内扉樋
４１    基部
４１ａ    係止片
４１ｂ    舌片
４１ｃ    貫通孔
４２    樋部
４２ａ    排水口
５    化粧枠
５１    基部
５１ａ，５１ｂ    フィン
５１ｃ    スリット
５１ｄ，５１ｅ    貫通孔
５２    気密部
５２ａ，５２ｂ，５２ｃ    凸条
５２ａ１，５２ｂ１，５２ｃ１    フィン
５３，５４    ネジ
【図１】
0005434545.tif 000002
【図２】
0005434545.tif 000003
【図３】
0005434545.tif 000004
【図４】
0005434545.tif 000005
【図５】
0005434545.tif 000006
【図６】
0005434545.tif 000007